(57)【要約】【課題】  建枠体に対して足場板を左右移動を規制しながら簡単に締め付け固定することができるようにする。【解決手段】  前後小枠の前後台杆２３は足場板４６が載置可能であって、建枠体の台杆２３上に足場板４６を載置しかつ該足場板４６上に足場押さえ４４，６０を載置して、前記台杆２３と足場押さえ４４，６０とで足場板４６を上下に挟んで固定具で互いに締め付け固定されており、足場板４６は前後方向に長い板素材５３を左右方向に間隔ａをおいて複数本連結されており、前記前後各台杆２３には足場板４６の間隔ａに挿入されて足場板４６の左右移動を規制する位置決め突起５４が上方突出状に設けられている。【選択図】図１
2012007369.tif 000002
【特許請求の範囲】
【請求項１】
複数の縦杆（１９）に横杆（２０）が多段に連結され、かつ複数の縦杆（１９）の上端部間に台杆（２３）が固着されて前小枠と後小枠とがそれぞれ構成され、これら前小枠と後小枠とを連係材（１７）で互いに前後に連結して建枠体が構成され、
前記前後小枠の前後台杆（２３）は足場板（４６）が載置可能であって、建枠体の台杆（２３）上に足場板（４６）を載置しかつ該足場板（４６）上に足場押さえ（４４，６０）を載置して、前記台杆（２３）と足場押さえ（４４，６０）とで足場板（４６）を上下に挟んで固定具（４７，６２）で互いに締め付け固定されており、
足場板（４６）は前後方向に長い板素材（５３）を左右方向に間隔（ａ）をおいて複数本連結されており、前記前後各台杆（２３）には足場板（４６）の間隔（ａ）に挿入されて足場板（４６）の左右移動を規制する位置決め突起（５４）が上方突出状に設けられていることを特徴とする足場装置。
【請求項２】
縦杆（１９）、横杆（２０）、台杆（２３）、基杆（４４）で上建枠体（１３）が構成され、この上建枠体（１３）が前記建枠体上の足場板（４６）上に載置されて、基杆（４４）が足場押さえとなっていることを特徴とする請求項１に記載の足場装置。
【請求項３】
上建枠体（１３）は下建枠体（１２）よりも左右方向に小幅に形成されて、左右方向の一方に偏位して配置され、上建枠体（１３）を避けるべく左右方向の他方側に偏位して下建枠体（１２）上の足場板（４６）に昇降用開口窓（５６）が形成されていることを特徴とする請求項２に記載の足場装置。
【請求項４】
足場板（４６）が複数並設され、その足場板（４６）の内の１つを短くして隣接する足場板（４６）との間に前記昇降用開口窓（５６）が形成されていることを特徴とする請求項３に記載の足場装置。
【請求項５】
前記固定具（４７，６２）は、台杆（２３）に下から係合するフック部（４９）を有しかつ足場板（４６）を貫通するフック棒（５０）と、足場押さえ（４４，６０）に上から係合する押さえ板（５２）と、該押さえ板（５２）にフック棒（５０）を貫通してその上部に螺合されるナット（５１）とで構成されていることを特徴とする請求項１〜４に記載の足場装置。
【発明の詳細な説明】
【技術分野】
【０００１】
本発明は、例えば船体ブロックの内面処理作業に適した足場装置に関するものである。
【背景技術】
【０００２】
従来の足場装置には、必要足場高さに達する長い縦杆を複数本並設し、これらに横杆を多段に連結して前枠と後枠とを形成し、これら前後枠を斜め連係材で前後に連結して足場用建枠を構成し、この足場用建枠の内側に上下方向に一定間隔をおいて足場板を順次連結するようにしていた（例えば、特許文献１）。
【先行技術文献】
【特許文献】
【０００３】
【特許文献１】特開２００６−２２５５８号公報
【発明の概要】
【発明が解決しようとする課題】
【０００４】
この種の従来の足場装置では、例えば船体ブロック等の狭い空間内に配置する場合、長尺縦杆の搬入が難しく、組み立ても困難になる。
そこで、複数の縦杆に横杆を多段に連結し、かつ複数の縦杆の上端部間に台杆を固着して前小枠と後小枠とをそれぞれ構成し、これら前小枠と後小枠とを連係材で互いに前後に連結して建枠体を構成し、この建枠体の台杆上に足場板の前後端を係止し、これらにより建枠体に対して足場板を載置し、更に該足場板上に別の建枠体を載置して、足場装置を簡単に組み立てることができるようにすることが考えられる。
【０００５】
しかし、このようにした場合、建枠体に対して足場板を左右移動規制しながら固定することが困難であった。
本発明は上記問題点に鑑み、建枠体に対して足場板を左右移動を規制しながら簡単に締め付け固定することができる足場装置を提供することを目的とする。
【課題を解決するための手段】
【０００６】
この技術的課題を解決する本発明の技術的手段は、複数の縦杆に横杆が多段に連結され、かつ複数の縦杆の上端部間に台杆が固着されて前小枠と後小枠とがそれぞれ構成され、これら前小枠と後小枠とを連係材で互いに前後に連結して建枠体が構成され、
前記前後小枠の前後台杆は足場板が載置可能であって、建枠体の台杆上に足場板を載置しかつ該足場板上に足場押さえを載置して、前記台杆と足場押さえとで足場板を上下に挟んで固定具で互いに締め付け固定されており、
足場板は前後方向に長い板素材を左右方向に間隔をおいて複数本連結されており、前記前後各台杆には足場板の間隔に挿入されて足場板の左右移動を規制する位置決め突起が上方突出状に設けられている点にある。
【０００７】
また、本発明の他の技術的手段は、縦杆、横杆、台杆、基杆で上建枠体が構成され、この上建枠体が前記建枠体上の足場板上に載置されて、基杆が足場押さえとなっている点にある。
また、本発明の他の技術的手段は、上建枠体は下建枠体よりも左右方向に小幅に形成されて、左右方向の一方に偏位して配置され、上建枠体を避けるべく左右方向の他方側に偏位して下建枠体上の足場板に昇降用開口窓が形成されている点にある。
【０００８】
また、本発明の他の技術的手段は、足場板が複数並設され、その足場板の内の１つを短くして隣接する足場板との間に前記昇降用開口窓が形成されている点にある。
また、本発明の他の技術的手段は、前記固定具は、台杆に下から係合するフック部を有しかつ足場板を貫通するフック棒と、足場押さえに上から係合する押さえ板と、該押さえ板にフック棒を貫通してその上部に螺合されるナットとで構成されている点にある。
【発明の効果】
【０００９】
本発明によれば、足場板の前後方向に長い板素材の間隔に前後小枠の台杆上に足場板を左右移動規制しながら載置して、台杆と足場押さえとの間で足場板を上下に挟んで締め付け固定することができる。
【図面の簡単な説明】
【００１０】
【図１】本発明の一実施形態を示す足場装置の正面図である。
【図２】同足場装置の側面図である。
【図３】同下建枠体と下側の上建枠体との間の拡大正面図である。
【図４】同下側の上建枠体と上側の上建枠体との間の拡大正面図である。
【図５】同下建枠体と下側の上建枠体との間の背面断面図である。
【図６】同図２のＡ−Ａ線矢視図である。
【図７】同図２のＢ−Ｂ線矢視図である。
【図８】同図２のＣ−Ｃ線矢視図である。
【図９】同固定具の側面図である。
【図１０】同連結枠体の正面図である。
【図１１】同連結枠体の平面図である。
【図１２】同連係材又はフック杆の一端部の斜視図である。
【図１３】同連係材又はフック杆の一端部を横杆に連結した状態の斜視図である。
【発明を実施するための形態】
【００１１】
以下、本発明の実施の形態を図面に基づいて説明する。
図１及び図２において、船体ブロック１は、２点鎖線で示す如く左右幅の広い底壁２と、左右幅の狭い天壁３と、下部より上部が狭い間隔で左右同一方向に緩急傾斜した左右側壁４，５と、左右側壁４，５の前後を連結しかつ中央側に開口部７を有する前後壁６とを有し、この船体ブロック１には、前後壁６によって三角形状の作業空間が複数区画形成されている。底壁２及び左右側壁４，５には複数のリブ９が間隔をおいて突設されている。
【００１２】
図１〜図５において、船体ブロック１内に配置される足場装置１１は、最下段の下建枠体１２と上下２段の上建枠体１３（下側の上建枠体１３ａ、上側の上建枠体１３ｂ）とを備える。この足場装置１１は前後壁６によって区画形成された複数の各作業空間に設置されている。
下建枠体１２は、前下小枠１５と後下小枠１６とを連係材１７（斜め連係材１７ａと水平連係材１７ｂと）で互いに前後に連結して構成されている。前下小枠１５と後下小枠１６とは、複数の縦杆１９に横杆２０が多段に連結され、該複数の縦杆１９の下端部に設置具２１が設けられ、かつ複数の縦杆１９の上端部間に台杆２３が固着されてそれぞれ構成されている。設置具２１は縦杆１９の下端部に上下調整自在に保持されている。
【００１３】
下建枠体１２の前下小枠１５と後下小枠１６とは、それぞれ第１分割枠２５と第２分割枠２６とこれら分割枠２５，２６を連結する連結枠２７とを備える。第１分割枠２５は左右一対の縦杆１９とこの一対の縦杆１９を左右に連結する多段の横杆２０と第１分割台杆２９とを有している。第２分割枠２６は２本の外縦杆１９と１本の中間縦杆１９と第２分割台杆３０とを有し、これら縦杆１９は横杆２０により多段に連結されている。第１分割台杆２９と第２分割台杆３０とは嵌合突起３１と嵌合凹部３２との凹凸嵌合により互いに嵌合保持されて、前下小枠１５又は後下小枠１６の台杆２３を構成している。
【００１４】
連結枠２７は図１０及び図１１に示すように上下一対のフック杆３４と一対のフック杆３４を上下に連結する左右一対の連結杆３５とを有し、フック杆３４は、第１分割枠２５の縦杆１９と第２分割枠２６の縦杆１９に前後方向内方に突出した連結突部３６にそれぞれ上側から係合保持されている。
上建枠体１３（下側の上建枠体１３ａ、上側の上建枠体１３ｂ）は、前上小枠４１と後上小枠４２とを連係材１７（斜め連係材１７ａと水平連係材１７ｂと）で互いに前後に連結して構成されている。前上小枠４１と後上小枠４２とは、複数の縦杆１９に横杆２０が多段に連結され、該複数の縦杆１９の下端部間に基杆（足場押さえ）４４が固着され、かつ複数の縦杆１９の上端部間に台杆２３が固着されてそれぞれ構成されている。
【００１５】
下側の上建枠体１３ａの前上小枠４１と後上小枠４２は、左右一対の縦杆１９を２組有し、各一対の縦杆１９に横杆２０を複数段に連結し、４本の縦杆１９の上端部を台杆２３で連結し、４本の縦杆１９の下端部を基杆（足場押さえ）４４で連結している。
上側の上建枠体１３ｂの前上小枠４１と後上小枠４２は、左右一対の縦杆１９を有し、一対の縦杆１９に横杆２０を複数段に連結し、一対の縦杆１９の上端部を台杆２３で連結し、一対の縦杆１９の下端部を基杆（足場押さえ）４４で連結して構成している。
【００１６】
上建枠体１３の前後上小枠４１，４２は下建枠体１２の前後下小枠１６よりも左右方向に小幅に形成されていて、上建枠体１３は下建枠体１２上で左右方向の一方（緩傾斜側壁４側）に偏位して配置されている。即ち、上建枠体１３は下建枠体１２よりも左右方向に小幅に形成されて、左右方向の一方に偏位して配置されている。
上下小枠１５，１６，４１，４２の前後台杆２３は足場板４６が載置可能であって、下建枠体１２の台杆２３上に足場板４６を載置しかつ該足場板４６上に上建枠体１３の基杆４４を載置して、前記台杆２３と基杆４４とで足場板４６を上下に挟んで固定具４７で互いに締め付け固定している。固定具４７は、図９にも示すように下建枠体１２の台杆２３に下から係合するフック部４９を有しかつ足場板４６を貫通するフック棒５０と、上建枠体１３の基杆４４に上から係合する押さえ板５２と、該押さえ板５２にフック棒５０を貫通してその上部に螺合されるナット５１とで構成されている。
【００１７】
下側の上建枠体１３ａに足場板４６を挟んで上側の上建枠体１３ｂが載置されている。上側の上建枠体１３ｂは下側の上建枠体１３ａよりも左右方向に小幅に形成されかつ、左右方向の一方（緩傾斜側壁４側）に偏位して配置されている。
下側の上建枠体１３ａの台杆２３上に足場板４６を載置しかつ該足場板４６上に上側の上建枠体１３ｂの基杆４４を載置して、前記台杆２３と基杆４４とで足場板４６を上下に挟んで固定具４７で互いに締め付け固定している。
【００１８】
建枠体１２，１３の前後面よりもそれに載置される足場板４６の端部が前後に突出されている。これにより足場板４６の前後突出端が前後壁６に近接配置されている。
足場板４６は前後方向に長い板素材５３を左右方向に間隔ａをおいて複数本連結されており、前記上下小枠の台杆２３には足場板４６の間隔ａに挿入されて足場板４６の左右移動を規制する位置決め突起５４が設けられている。
【００１９】
図６〜図８に示すように、足場板４６が前後方向に複数並設され、その足場板４６の内の１つを短くして隣接する足場板４６との間に昇降用開口窓５６が形成され、前記隣接する足場板４６に蝶番５７を介して前記昇降用開口窓５６を開閉する昇降用扉部５８が設けられている。下建枠体１２上の足場板４６の昇降用扉部５８は、上建枠体１３を避けるべく左右方向の他方側に偏位して配置されている。
【００２０】
台杆２３との間で足場板４６の前後両端部を上下に挟む足場押さえ６０と、該足場押さえ６０を台杆２３に対して固定する固定具６２とが設けられている。この固定具６２は、図９にも示すように前記基杆４４と台杆２３との固定具４７と同様の構成であって、台杆２３に下から係合するフック部４９を有しかつ足場板４６を貫通するフック棒５０と、足場押さえ６０に上から係合する押さえ板５２と、該押さえ板５２にフック棒５０を貫通してその上部に螺合されるナット５１とで構成されている。
【００２１】
図１２及び図１３に示すように、前記連係材１７又はフック杆３４はその両端部に、横杆２０に上側から係合可能なフック体６１と、該フック体６１に挿通されていてフック体６１が係合した横杆２０又は連結突部３６に下側から巻掛けられるマガタマフック６３付きワイヤ６７とを備え、ワイヤ６７はリング状であって取付孔６４，６５に挿通されると共に、一端部がマガタマフック６３の挿通孔６８に挿通係合され、ワイヤ６７の他端側が横杆２０又は連結突部３６に下側から巻回されてマガタマフック６３に係脱自在に係合され、これにより、フック体６１と共に横杆２０を抱持するようになっている。
【００２２】
図１〜図３及び図６に示すように、前後に隣合う足場装置１１の開口部７に対応する横杆２０間に渡り用足場板６６が設けられている。この渡り用足場板６６は台杆２３に載置されている前記足場板４６と同一のものが使用されている。
上記実施形態によれば、船体ブロック１の壁内面を塗装（内面処理）する場合、船体ブロック１内に足場装置１１を組み立てた後、船体ブロック１内をブラストして塗装をする。
【００２３】
足場装置１１の組み立ては、船体ブロック１の開口部７から前下小枠１５及び後下小枠１６の第１分割枠２５と第２分割枠２６と連結枠２７とを船体ブロック１内の各作業空間内に入れ、第１分割枠２５と第２分割枠２６とを連結枠２７で連結して、船体ブロック１内の各作業空間内で前下小枠１５と後下小枠１６とを形成し、これらを連係材１７（斜め連係材１７ａと水平連係材１７ｂと）で互いに前後に連結して下建枠体１２を構成する。
【００２４】
次に、船体ブロック１の開口部７から下建枠体１２の足場板４６を入れて、前下小枠１５及び後下小枠１６の前後台杆２３上に配置し、この際に、足場板４６の間隔ａに上下小枠の台杆２３の位置決め突起５４を挿入して足場板４６の左右移動を規制する。また、前後に隣合う下建枠体１２の開口部７に対応する横杆２０間に渡り用足場板６６を取り付ける。
【００２５】
その後、船体ブロック１の開口部７から、下側の上建枠体１３ａの前上小枠４１と後上小枠４２と連係材１７とを、船体ブロック１内の各作業空間内に入れ、前上小枠４１と後上小枠４２とを連係材１７（斜め連係材１７ａと水平連係材１７ｂと）で互いに前後に連結して下側の上建枠体１３ａを構成すると共に、下建枠体１２の足場板４６上に上建枠体１３の基杆４４を載置して、前記台杆２３と基杆４４とで足場板４６を上下に挟んで固定具４７で互いに締め付け固定する。
【００２６】
また、船体ブロック１の開口部７から足場押さえ６０を入れて、足場押さえ６０で下建枠体１２の台杆２３との間で足場板４６の前後両端部を上下に挟み、足場押さえ６０を台杆２３に対して固定具６２により固定する。
次に、船体ブロック１の開口部７から下側の上建枠体１３ａの足場板４６を入れて、前下小枠１５及び後下小枠１６の前後台杆２３上に配置し、この際に、足場板４６の間隔ａに上下小枠の台杆２３の位置決め突起５４を挿入して足場板４６の左右移動を規制する。
【００２７】
その後、船体ブロック１の開口部７から、上側の上建枠体１３ｂの前上小枠４１と後上小枠４２と連係材１７とを、船体ブロック１内の各作業空間内に入れ、下側の上建枠体１３ａ上で、前上小枠４１と後上小枠４２とを連係材１７で互いに前後に連結して上側の上建枠体１３ｂを構成すると共に、下側の上建枠体１３ａの足場板４６上に上側の上建枠体１３ｂの基杆４４を載置して、下側の上建枠体１３ａの台杆２３と上側の上建枠体１３ｂの基杆４４とで足場板４６を上下に挟んで固定具４７で互いに締め付け固定する。
【００２８】
また、船体ブロック１の開口部７から足場押さえ６０を入れて、足場押さえ６０で下側の上建枠体１３ａの台杆２３との間で足場板４６の前後両端部を上下に挟み、足場押さえ６０を台杆２３に対して固定具６２により固定する。
次に、船体ブロック１の開口部７から上側の上建枠体１３ｂの足場板４６を入れて、前下小枠１５及び後下小枠１６の前後台杆２３上に配置し、この際に、足場板４６の間隔ａに上下小枠の台杆２３の位置決め突起５４を挿入して足場板４６の左右移動を規制する。そして、船体ブロック１の開口部７から足場押さえ６０を入れて、足場押さえ６０で上側の上建枠体１３ｂの台杆２３との間で足場板４６の前後両端部を上下に挟み、足場押さえ６０を台杆２３に対して固定具６２により固定する。
【００２９】
従って、比較的狭い船体ブロック１内で足場装置１１を組む場合、小形のユニット（パーツ）ごとに船体ブロック１内に入れて高く積み上げて構成することができ、比較的狭い空間内等でも足場装置１１の組み立てを容易になし得る。
また、上記実施形態の場合、建枠体１２，１３の前後面よりもそれに載置される足場板４６の端部が前後に突出されているので、足場板４６を船体ブロック１の前後壁６に極力近づけることができ、船体ブロック１のブラスト作業及び塗装作業をより良好になし得る。
【００３０】
前記上建枠体１３は緩傾斜側壁側４に偏位されているので、下側の上建枠体１３ａ及び上側の上建枠体１３ｂを、緩傾斜した側壁４に対して接近させて配置することができ、下側の上建枠体１３ａ上及び上側の上建枠体１３ｂ上の足場板４６の位置から緩傾斜した側壁４に対してブラスト作業や塗装作業を良好に行うことができる。
また、前後上小枠４１，４２は前後下小枠１５，１６よりも左右方向に小幅に形成されていて、上建枠体１３は下建枠体１２上で左右方向の一方に偏位して配置され、また、前記上建枠体１３は上下に複数段あって、下側の上建枠体１３ａに足場板４６を挟んで上側の上建枠体１３ｂが載置され、上側の上建枠体１３ｂは下側の上建枠体１３ａよりも左右方向に小幅に形成されかつ、左右方向の一方に偏位して配置されているので、下建枠体１２上の前後方向の他方側の足場板４６上及び下側の上建枠体１３上の前後方向の他方側の足場板４６上で、急傾斜した側壁４に対して近づいた位置からブラスト作業や塗装作業を良好に行うことができる。
【００３１】
前記連係材１７又はフック杆３４はその両端部に、横杆２０又は連結突部３６に上側から係合可能なフック体６１と、該フック体６１に挿通されていてフック体６１が係合した横杆２０に下側から巻掛けられるマガタマフック６３付きワイヤ６７とが備えられているので、仮に通常のオートロックフックを使用した場合、ブラストを打つため、稼動部分のバネにブラストが絡み込み動かなくなるおそれがあるが、本実施形態の場合、フック付きのワイヤ６７を利用しているため、稼動部分のバネにブラストが絡み込んで動かなくなるようなことを確実に防止できる。
【００３２】
また、足場板４６の左右移動を規制する位置決め突起５４が設けられているので、足場板４６の前後方向に長い板素材５３の間隔ａに上下小枠１５，１６，４１，４２の台杆２３の位置決め突起５４を挿入して足場板４６の左右移動を規制することができ、このため、台杆２３と基杆４４とで又は台杆２３と足場押さえ６０とで足場板４６の前後両端部を上下に挟み、固定具４７，６２で簡単に締め付け固定することができる。
【００３３】
台杆２３との間で足場板４６の前後両端部を上下に挟む足場押さえ６０と、該足場押さえ６０を台杆２３に対して固定する固定具６２とが設けられているので、足場板４６を足場押さえ６０と固定具６２とで簡単かつ確実に固定することができる。
足場板４６が複数並設され、その足場板４６の内の１つを短くして隣接する足場板４６との間に昇降用開口窓５６が形成され、前記隣接する足場板４６に蝶番５７を介して前記昇降用開口窓５６を開閉する昇降用扉部５８が設けられ、上建枠体１３は下建枠体１２よりも左右方向に小幅に形成されて、左右方向の一方に偏位して配置され、下建枠体１２上の足場板４６の昇降用扉部５８は、上建枠体１３を避けるべく左右方向の他方側に偏位して配置されているので、昇降用扉部５８を通して、下建枠体１２から下側の上建枠体１３ａに、また、下側の上建枠体１３ａから上側の上建枠体１３ｂに簡単に昇降することができ、便利である。
【００３４】
前記実施形態では、船体ブロック１内に配置される足場装置１１は、最下段の下建枠体１２と上下２段の上建枠体１３とで構成されているが、これに代え、足場装置１１は下段の下建枠体１２と上段の上建枠体１３との２段で構成してもよく、また、最下段の下建枠体１２と３段以上の上建枠体１３とで構成するようにしてもよい。さらに、足場装置１１を、最下段の下建枠体１２のみで構成し、足場押さえ６０で下建枠体１２の台杆２３との間で足場板４６の前後両端部を上下に挟み、足場押さえ６０を台杆２３に対して固定具６２により固定するようにしてもよい。
【００３５】
また、足場装置１１は船体ブロック１内に配置するものに限らず、建物内その他の比較的狭い空間内に配置するものであってもよい。
また、下段の下建枠体１２の設置具２１を割愛して縦杆１９の下端を直接設置するようにしてもよい。
【符号の説明】
【００３６】
１    船体ブロック
４    左側壁
５    右側壁
６    前後壁
７    開口部
１１    足場装置
１２    下建枠体
１３    上建枠体
１５    前下小枠
１６    後下小枠
１７    連係材
１９    縦杆
２０    横杆
２１    設置具
２３    台杆
４１    前上小枠
４２    後上小枠
４４    基杆
４６    足場板
４７    固定具
４９    フック部
５０    フック棒
５１    ナット
５２    押さえ板
５３    板素材
５４    位置決め突起
５６    開口窓
５７    蝶番
５８    昇降用扉部
６１    フック体
６２    固定具
６３    マガタマフック
６７    ワイヤ
ａ    間隔
【図１】
2012007369.tif 000003
【図２】
2012007369.tif 000004
【図３】
2012007369.tif 000005
【図４】
2012007369.tif 000006
【図５】
2012007369.tif 000007
【図６】
2012007369.tif 000008
【図７】
2012007369.tif 000009
【図８】
2012007369.tif 000010
【図９】
2012007369.tif 000011
【図１０】
2012007369.tif 000012
【図１１】
2012007369.tif 000013
【図１２】
2012007369.tif 000014
【図１３】
2012007369.tif 000015